Podtech/llm-jp-corpus-v4-ja_patent huggingface dataset:
(57)【要約】【課題】  本考案は、遠くの投てきポイントへ簡単に効率よく寄せ餌を撒くための釣り道具を提供するものである。【解決手段】  本考案は、左右カップ本体１に生餌のタニシを入れて組み合わせ、下部を水に溶ける紙紐３で結び固定する。投てき後、水中で紙紐３が溶け切れカップ上部を支点としイタバネ２の反力を利用し、カップ本体１の下部を開放させ餌を放出させる。【選択図】  図１
0003115244.tif 000002
【実用新案登録請求の範囲】
２個のカップに餌を入れ組み合わせ、下部を水に溶ける紙紐で固定する。水中投入後紙紐が溶け切れ、上部を支点としバネの反力によって下部が開き、餌が放出されるところを特徴とする釣り道具の餌撒きカップ。
【考案の詳細な説明】
【考案の詳細な説明】
【産業上の利用分野】
【０００１】  本考案は青魚及び野鯉を釣りポイントに集めるための餌撒きカップであり、本考案餌撒きカップを遠くの釣りポイントに投てきし、生餌のタニシを撒くためのカップ構造である。
【背景技術】
【０００２】  従来は、図５に示すようにスプーン形で柄の付いた市販の道具を使い生餌のタニシを、腕で投げて撒いていました。そのため川岸より遠くのポイントまで届かない事や、広範囲に飛び散ってしまうことが多かった。
【考案が解決しようとする課題】
【０００３】  従来の技術では、目標ポイントに撒き餌を撒けない事が多く、何回も同じ作業を行うため、労働的負担及び餌の浪費による経済的負担が大きい効率の悪い作業であった。また高年齢の釣り人にとっては、遠くのポイントに餌を投げようとし腕を痛めることのある程の作業であった。このような従来の問題を解決するために、本考案の餌撒きカップを案出したものである。
【課題を解決するための手段】
【０００４】  図２に示すように、左右２個の半球型フランジ付きカップの開放時にタニシを入れる。次に、図１に示すようにカップを閉じ、下部の両穴を水に溶ける紙紐で固定する。これをリール付き釣竿のリール糸にジョイントで接合し、遠くの目標ポイントへ投てきを行う。水中投入後、紙紐が溶け切れ図２が示すように上部を支点としてイタバネの反力によって、カップが約４５度開放し餌が放出される。
【考案の効果】
【０００５】  上記のように本考案の餌撒きカップは、遠くの投てきポイントへ簡単に生餌であるタニシを撒くことができるため、従来の手法は必要がなくなり、労働的負担及び経済的負担が解消されました。
【考案を実施するための最良の形態】
【０００６】  本考案の餌撒きカップは、環境にやさしい素材を使用するため紙紐は、水に溶けるトイレットペーパーと同じ素材であり、その他の部品はすべて耐錆性に優れているステンレス鋼材である。【０００７】  カップ本体形状は、左右同形状の半球型であり図３に示すようにフランジ部７及び空気抜け穴８を設けてある。このフランジ部７は、左右カップに餌を入れて閉じた後に図４の仮止め金具１０で仮止めし紙紐で結ぶ。カップ上部には、左右カップを組み合わせるためにイタバネ及びジョイントを通しナベネジ５とナット４でカップに固定する。ゆえにカップの上部は、開かず支点となり左右カップがずれなくなる。
【実施例】
【０００８】  図２に示すように左右組み合わせたカップ本体１の直径は、６５ｍｍの寸法を有し空気抜き穴８の穴径は、６ｍｍの寸法がカップを製作しやすい事やタニシがこぼれないため好適なサイズである。
【図面の簡単な説明】
【０００９】
【図１】本考案餌撒きカップ閉鎖時の正面図である。
【図２】本考案餌撒きカップ開放時の正面図である。
【図３】本考案餌撒きカップ閉鎖時の側面図である。
【図４】仮止め用金具。
【図５】現在市販されている従来型の餌撒き道具。
【符号の説明】
【００１０】  １カップ本体
２イタバネ
３水に溶ける紙紐
４ナット
５ナベネジ
６ジョイント
７フランジ部
８空気抜き穴
９穴
１０仮止め用金具
【図１】
0003115244.tif 000003
【図２】
0003115244.tif 000004
【図３】
0003115244.tif 000005
【図４】
0003115244.tif 000006
【図５】
0003115244.tif 000007
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
２個のカップに餌を入れ組み合わせ、下部を水に溶ける紙紐で固定し、水中投入後紙紐が溶け切れ、上部を支点としバネの反力によって下部が開き、餌が放出されるところを特徴とする釣り道具の餌撒きカップ。
(57)【要約】【課題】従来の螺旋状の吸殻回収装置よりも直線及びアール状の長手テーブルに設置された灰皿内の吸殻を自動的に回収するとともにアール状長手溝ケースを著しく損傷しない構造が簡単で製作の容易な吸殻回収装置を提供する。【解決手段】直線及びアール状の長手テーブルの下部に取付けた直線及びアール状の長手溝ケースの上部を開口にし、一端に駆動モーターにより回転する螺旋状に巻いた耐熱性ブラシを取付け、この耐熱性ブラシはケース下部に密着し吸殻や灰などを移動し開口部より下に落とす。また長手溝ケースの中央に突起物を付けることにより耐熱性ブラシに挟まった吸殻も下に落ちスムーズに前方に送り出される。又この螺旋状耐熱性ブラシは、ケースを著しく損傷しない。【選択図】  図１
0003115243.tif 000002
【実用新案登録請求の範囲】
【請求項１】
複数のパチンコ台の前面下部の直線及びアール状の長手テーブルの下面に、該テーブルにほぼ等しい長さの上部開口の直線及びアール状の長手溝ケースを固定すると共に、上記テーブルに設置された複数個の灰皿下部位置において灰皿下部と前記直線及びアール状の長手溝ケース内部と連通する貫通孔を前記テーブルに設け、直線及びアール状の長手溝ケースの一端に駆動モーター軸に螺旋状に巻いたＵ型スプリングに耐熱性ブラシを取付け直線及びアール状の長手溝ケースの底部に密着するように取付け他端を吸殻回収ボックス上部までとし、吸殻回収ボックス上部の直線及びアール状の長手溝ケース下部は開口にした自動吸殻回収装置
【請求項２】
吸殻回収ボックス上部の直線及びアール状の長手溝ケースは吸殻回収ボックス端部で斜めに止め板をし、その手前に開口部を空けた自動吸殻回収装置
【請求項３】
長手状溝ケースの深さの中ほどに突起物を設ける自動吸殻回収装置
【考案の詳細な説明】
【技術分野】
【０００１】本考案は、パチンコ台等の前面下部に設けられた直線及びアール状のテーブルに設置された灰皿から投入された吸殻を吸殻回収ボックスまで自動搬送する装置に関する。
【背景技術】
【０００２】従来の片持ちのスクリューコンベヤでの回収作業がアール部分があると吸殻が回収されにくく、ケースの損傷や先端部分のブレが大きい。
【考案の開示】
【考案が解決しようとする課題】
【０００３】複数のパチンコ台の前面下部の直線及びアール状長手テーブルの下面に、該テーブルにほぼ等しい長さの上部開口の直線及びアール状の長手ケースの中にスパイラル状送り軸方式は、重くアール部分で吸殻を回収しにくくアール状長手ケースを著く損傷する等の欠点があった。
従って、本考案は、上記の吸殻が回収しにくい、ケースが損傷しない自動吸殻回収装置を提供することを目的とする。
【課題を解決するための課題】
【０００４】上記の目的を達成するために、複数のパチンコ台の前面の直線及びアール状の長手テーブルの下部に、該テーブルにほぼ等しい長さの上部開口の直線及びアール状の長手溝ケースを固定すると共に、上記テーブルに設置された複数個の灰皿下部位置において灰皿下部と前記直線及びアール状の長手溝ケース内部と連通する貫通孔を前記テーブルに設け、直線及びアール状の長手溝ケースの一端に駆動モーター軸に耐熱性ブラシを螺旋状送りにし、直線及びアール状の長手ケースの底部に密着するように延出せしめる。
【０００５】更に、この螺旋状の耐熱性ブラシは、上下左右に柔軟性がある。
【０００６】また、直線及びアール状の長手溝ケースの他端は下部に設けた吸殻回収ボックス端部で斜めに板で止めその前のケース下部に開口部を開け、螺旋状の耐熱性ブラシは開口部中央で長さを止める。
【０００７】長手状溝ケースの深さの中央部分に突起部分を設けることにより、仮に吸殻が耐熱性ブラシに挟まったとしても突起物に当たり下に落ちてスムーズに先端に送り出される。
【図面の簡単な説明】
【０００８】
【図１】本考案に係わる吸殻回収装置の正面図
【図２】本考案に係わる吸殻回収装置の断面図
【符号の説明】
【０００９】    １・・・パチンコ台
２・・・長手状テーブル
３・・・灰皿
４・・・長手状空洞部
５・・・長手状ケース
６・・・貫通孔
７・・・長手状ケース止め板
８・・・長手状ケース下側開口部
９・・・吸殻回収ボックス
１０・・水
１１・・螺旋状鋼
１２・・耐熱性ブラシ
１３・・モーター
１４・・先端部分
１５・・突起部
【図１】
0003115243.tif 000003
【図２】
0003115243.tif 000004
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
複数のパチンコ台の前面下部の直線及びアール状の長手テーブルの下面に、該テーブルにほぼ等しい長さの上部開口の直線及びアール状の長手溝ケースを固定すると共に、上記テーブルに設置された複数個の灰皿下部位置において灰皿下部と前記直線及びアール状の長手溝ケース内部と連通する貫通孔を前記テーブルに設け、直線及びアール状の長手溝ケースの一端に駆動モーター軸に螺旋状に巻いたＵ型スプリングに耐熱性ブラシを取付け直線及びアール状の長手溝ケースの底部に密着するように取付け他端を吸殻回収ボックス上部までとし、吸殻回収ボックス上部の直線及びアール状の長手溝ケース下部は開口にした自動吸殻回収装置
【請求項２】
吸殻回収ボックス上部の直線及びアール状の長手溝ケースは吸殻回収ボックス端部で斜めに止め板をし、その手前に開口部を空けた請求項１記載の自動吸殻回収装置
【請求項３】
長手状溝ケースの深さの中ほどに突起物を設ける請求項１又は請求項２記載の自動吸殻回収装置
(57)【要約】      （修正有）【課題】チューブ入り歯磨き粉を、最後まで無駄なく使う分離型チューブの提供。【解決手段】チューブ入り歯磨き粉のチューブ本体を［図２］キャップ３から、３ｃｍ〜４ｃｍののところにツマミ１をつけ、それを一周させることにより、上下ふたつに分離される容器（分離部分２）とすることにより、各々の容器に残っている歯磨き粉が容易に取り出せることにより、無駄なく最後まで使えるようにする。【選択図】図２
0003115207.tif 000002
【実用新案登録請求の範囲】
【請求項１】
チューブ入り歯磨き粉のチューブをキャップから３ｃｍ〜４ｃｍのところにツマミをつけることにより、上下二つに分離可能な容器にする。従来まで残存していた歯磨き粉を効率よく、かつ無駄なく消費できる改良型のチューブ。
【考案の詳細な説明】
【技術分野】
【０００１】  本考案は、チューブ入り歯磨き粉のチューブを二つに分離できる、チューブに関するものである。
［背景技術］【０００２】  現在使っているチューブ入り歯磨き粉は、手で搾り出せるまで、使っているが、使い捨ての段階では、まだ数回消費可能な量が、チューブと共に捨てられている。
［考案の開示］
［考案が解決しようとする課題］【０００３】  チューブに入っている歯磨き粉を使いきれるまで、効率よく、消費することにより、無駄をなくすという消費者ニーズに応えようとするものである。
［課題を解決するための手段］【０００４】  本考案は、チューブ入り歯磨き粉のチューブをキャップから３ｃｍ〜４ｃｍのところにツマミをつけ、それを一周させることによって上下ふたつに分離される容器とすることにより、各々の容器に残っている歯磨き粉が使用できることにより問題点を解決している。
［考案の効果］【０００５】  上述の様に、本考案の分離型チューブ（歯磨き粉用）を用いることにより、チューブに残っている歯磨き粉を無駄なく使用でき、消費者ニーズに応えることができるとともに「物を大切にする、節約する」といった道徳観念の醸成にも役立つ。
［考案を実施するための最良の形態］【０００６】  ツマミは、手で引っ張ることができるだけの最小のものでよく、薄くて強度であればよい。チューブと同じ材質でもよい。ツマミの先に強度のナイロンかプラスティック製などの線状のものを、チューブにかぶせてあるキャップから３ｃｍ〜４ｃｍのところで周囲に埋め込む。ツマミを引っ張ることにより、チューブがふたつに分かれる。周囲全体を切り離してもよいし、少し切り残してもよい。チューブと同じ材質で、同位置のところに少し出っ張りをつけてチューブ本体に数ｃｍの破線を周囲につけ、出っ張り分の幅だけが、切り離される方法をとってもよい。
［実施例］【０００７】  以下、添付図面に従って実施例を説明する。［図１］（Ａ）▲１▼はツマミ、▲２▼はチューブを切る強度な材質をもった線状のもの（チューブ内に埋め込む）。▲１▼を引っ張って周囲を切っていく。［図１］（Ｂ）▲１▼はツマミ、▲２▼は二本の破線処理されたチューブ本体と一体化された同材質で切り取られる部分
［産業上の利用可能性］【０００８】  チューブ入りのもので、使えるだけ使いたい内容が入っているもの、たとえば、絵の具類（油絵の具、アクリル絵の具など）や化粧品類（ファンデーション、日焼け止めクリーム、美白クリーム、洗顔クリームなど）など、広く産業用にも利用可能である。
【図面の簡単な説明】
【０００９】  ［図１］本考案の分離型チューブ（歯磨き粉用）の実施例を示す正面図である。
［図２］本分離型チューブ（歯磨き粉用）の一部切欠断面図である。
【符号の説明】
【００１０】１  ツマミ
２  切り取り部分
３  キャップ
【図１】
0003115207.tif 000003
【図２】
0003115207.tif 000004
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
［書類名］  実用新案登録請求の範囲
［請求項１］
チューブ入り歯磨き粉のチューブ本体に、キャップ側から３ｃｍ〜４ｃｍのところにツマミをつけ、それを一周させることにより当該チューブが二つに分離できるチューブ。
(57)【要約】      （修正有）【課題】災害に備えた訓練等で、物干し竿と毛布を使い、折りまげることで担架を作る方法は行われているが、イザという時に作れないとか、移送中、落下の心配がつきない。また移送後の寝具不足の問題もかかえている。【解決手段】止め具３で止めた毛布１と担架に使える物干し竿等２をあらかじめ準備しておくことで、安心して移送できる。また、移送後は物干し竿等をとりはずすことで、寝袋として利用できこの課題を解決する。【選択図】図１
0003115210.tif 000002
【実用新案登録請求の範囲】
【請求項１】
担架や寝袋などにも利用できる止め具で止めた毛布。
【考案の詳細な説明】
【技術分野】
【０００１】    本考案は、すでにある毛布を利用して担架や寝袋として使える毛布に関する。
【背景技術】
【０００２】    従来、毛布は一枚を広げたり、折ったりして使用していた【０００３】  しかし、これでは、毛布をひくか、掛けるだけであり、用途が限定される。
【考案の開示】
【考案が解決しようとする課題】
【０００４】    毛布を止め具で止めることにより、災害時、担架や寝袋として使える。
【課題を解決するための手段】
【０００５】    この課題を解決するため、長方形の毛布の長い辺どうしを合わせて二つに折り曲げ、止め具で止める。（図３）【０００６】    止め具で止める方法として、縫製、ファスナー、マジックテープ、接着剤等がある。【０００７】    また、止め具で止めたことにより、物干し竿等２本を中に入れて併用することで、担架として利用でき、単独では、寝袋として利用できる。（図１及び図２）【０００８】    リサイクル品の毛布を使えば、資源の再利用としても効果的である。
【考案の効果】
【０００９】    よって、毛布を止め具で止める事により、毛布の機能が増し、災害時に役立つ。
【考案を実施するための最良の形態】
【００１０】    本考案は、災害時の使用を想定、よって、前もって縫製等により毛布を止め、ステンレス物干竿等を準備しておく。
【図面の簡単な説明】
【００１１】
【図１】    担架使用時の図
【図２】    寝袋使用時の図
【図３】    毛布の長い辺どうしを合わせ、止め具で止めた図
【符号の説明】
【００１２】    １  毛布
２  物干し竿等
３  とめ具で止めている部分
【図１】
0003115210.tif 000003
【図２】
0003115210.tif 000004
【図３】
0003115210.tif 000005
【手続補正書】
【提出日】平成17年7月8日(2005.7.8)
【手続補正１】
【補正対象書類名】実用新案登録請求の範囲
【補正対象項目名】全文
【補正方法】変更
【補正の内容】
【実用新案登録請求の範囲】
【請求項１】
長方形の毛布の長い辺どうしを合わせて二つに折り曲げ止め具で固定することにより、担架又は寝袋として利用する毛布。
(57)【要約】      （修正有）【課題】カルトンの下から照明をあてることによって、紙幣の透かしの有無を確認する。【解決手段】光センサーを設置し、紙幣をカルトン上に置いた時だけ電源が入り、照明が点く様にすることで、電源を電池にした照明一体型カルトン。光センサーによって、紙幣を置いた時のみ電源が入り、照明が点灯する。したがって、電源が電池でも長期間使用が可能。又、ＡＣ電源が用意出来る場所であればセンサーを設置せず、スウィッチによって、照明を点灯させたり、消灯させたり出来る。【選択図】図３
0003115204.tif 000002
【実用新案登録請求の範囲】
【請求項１】
カルトンの下部に照明装置を設置し、カルトンの底面を透明にし、下から照明をあてることで、カルトンの上に置かれた紙幣の透かしを容易に確認出来る製品になる。
【考案の詳細な説明】
【技術分野】
【０００１】  光センサーを設置し、紙幣をカルトン上に置いた時だけ電源が入り、照明が点く様にすることで、電源を電池にした照明一体型カルトン。
【考案の開示】
【考案が解決しようとする課題】
【０００２】最近、カラーコピー機での偽造紙幣が蔓延してるが、従来の紙幣判別機は大変高価である。カラーコピーでは、透かしを再現出来ない為、この考案で、紙幣の真偽を判別できる。
【課題を解決するための手段】
【０００３】カルトンの下から照明をあてることによって、紙幣の透かしの有無を確認する。
【考案の効果】
【０００４】偽造紙幣を使用された場合の早期発見。偽造紙幣の使用そのものの抑止。
従来の判別機に比べ、非常に安価である。
【考案を実施するための最良の形態】
【０００５】光センサーによって、紙幣を置いた時のみ電源が入り、照明が点灯する。
したがって、電源が電池でも長期間使用が可能。又、ＡＣ電源が用意出来る場所であればセンサーを設置せず、スウィッチによって、照明を点灯させたり、消灯させたり出来る。
【産業上の利用可能性】
【０００６】構造上、既存の透明のカルトンに電源部、センサー、光源を組み込むだけなので、安価である。電源を電池にすることにより、移動も容易である。
【図面の簡単な説明】
【０００７】
【図１】  カルトンの上部を示した平面図である。
【図２】  配線部の仕組みを示した平面図である。
【図３】  カルトンの内部を横から示した断面図である。
【図１】
0003115204.tif 000003
【図３】
0003115204.tif 000004
【手続補正書】
【提出日】平成17年7月11日(2005.7.11)
【手続補正２】
【補正対象書類名】実用新案登録請求の範囲
【補正対象項目名】全文
【補正方法】変更
【補正の内容】
【実用新案登録請求の範囲】
【請求項１】
カルトンの下部に、照明装置を設置し、カルトンの底面を透明にし、下から照明をあてる事で、カルトンの上に置かれた紙幣の透かしを容易に確認出来る、簡易紙幣判別照明付カルトン。
【手続補正３】
【補正対象書類名】図面
【補正対象項目名】図１
【補正方法】変更
【補正の内容】
【図１】
0003115204.tif 000005
【手続補正４】
【補正対象書類名】図面
【補正対象項目名】図２
【補正方法】変更
【補正の内容】
【図２】
0003115204.tif 000006
(57)【要約】【課題】今まで、毛染め液で皮膚を痛めたり、衣服を汚さないように、個々の耳キャップ・ケープ・黒タオルを準備し毛染めをしていましたが、面倒でお金もかかるので、簡単にできる毛染め用ケープ付きヘアキャップを提供する。【解決手段】ヘアキャップを髪の生え際に密着し、ひさし（つば）で顔・襟首・耳への液ダレを防止し、ヘアキャップとケープを一体化することで衣服を汚さなくなる。又、ケープに取り付けたスナップボタンを止めることで、毛染め後のシャンプーもそのまま出来る様にした。【選択図】図２
0003115205.tif 000002
【実用新案登録請求の範囲】
【請求項１】
衣服を着たままでも、簡単に毛染めが出来る毛染め用ケープ付きヘアキャップ。
【考案の詳細な説明】
【考案の詳細な説明】
【考案が解決しようとする課題】
【０００１】毛染めをする時、今までは液だれを防ぐために、耳キャップ・ケープ・黒タオルと準備が大変で苦労することがあった。
【課題を解決するための手段】
【０００２】ヘアキャップにひさし（つば）を付けることで、毛染め液の液ダレを防ぎ、又、ヘアキャップにケープ（肩掛け）を取り付けることにより、耳・襟首・衣服を汚さず、簡単に毛染めをすることが出来る。ケープにスナップボタンをつけたので、そのまま毛染め後のシャンプーもすることが出来る。但し、ケープは、防水付きのナイロン布を使用すること。
【考案の効果】
【０００３】毛染め用ケープ付きヘアキャップを使用することで、ひさし（つば）で液ダレを防ぎ、ケープで耳・襟首・衣服を保護し、これひとつで簡単に毛染めが出きるようになった。ひさし（つば）の一部に平ゴムを入れたので頭との間に隙間が出来ず、髪の毛が出しやすくなった。
【図面の簡単な説明】
【図１】毛染め用ヘアキャップにケープ（肩掛け）を取り付けた平面図である。
【図２】考案した毛染め用ケープ付きヘアキャップの使用状況を示す立面図である。
【符号の説明】
１  ヘアキャップ本体のひさし（つば）
２  ケープ
３  スナップボタン
４  生え際に密着する部分
５  平ゴム
６  ヘアキャップとケープの接合部分
【図１】
0003115205.tif 000003
【図２】
0003115205.tif 000004
【手続補正書】
【提出日】平成17年7月13日(2005.7.13)
【手続補正１】
【補正対象書類名】実用新案登録請求の範囲
【補正対象項目名】全文
【補正方法】変更
【補正の内容】
【実用新案登録請求の範囲】
【請求項１】
ヘアキャップ本体と、前記ヘアキャップ本体に対して、生え際に密着しやすくするための平ゴムと、前記ヘアキャップ本体に対して、スナップボタンを取り付けたケープとを有することを特長とする毛染め用ケープ付きヘアキャップ。
(57)【要約】      （修正有）【課題】ベッドの四隅に伸縮性のある突っ張り柱を立てたキャノピーベッドを提供する。【解決手段】ベッドの置かれた四隅の床と天井の間に伸縮性のある突っ張り柱を立て（コーナーは３本）、天井を天蓋に見立ててキャノピーベッドとする。【選択図】図２
0003115203.tif 000002
【実用新案登録請求の範囲】
【請求項１】
天井の低い日本家屋に置かれたベッドの四隅の床と天井に伸縮性のある突っ張り柱を立て（部屋のコーナーに置かれたベッド用は三本）、柱の上部をカーテンレールで固定して、カーテンやのれん或いはスクリーンで装飾をした突っ張り柱キャノピーベッド。
【考案の詳細な説明】
【考案が解決をしようとする課題】
天井が低い日本家屋では、欧米で常用されている天蓋つきのベッドを使用する慣習が生まれにくい。
【課題を解決するための手段】
ベッドの置かれた四隅の床と天井の間に伸縮性のある突っ張り柱を立て（コーナーは３本）、天井を天蓋にみたててキャノピーベッドとする。
【考案の効果】
日本家屋にこれまで導入できなかったキャノピーベッドを実現でき、新しい眠りのエリアを創造できる。また、日本に天蓋つきのベッド、キャノピーベッドの文化を気軽に導入できる。
【考案を実施するための最良の形態】  ベッドの四隅の床と天井の間に伸縮性のある突っ張り柱をしっかり固定し（コーナーは３本）、カーテンレールを横柱（桟）として固定して、カーテンやのれん、或いはスクリーンで装飾をする。また、下方に手すり様の装具（桟）を固定することで美的、強度的な効果を出す。
【実施例】  部屋の壁から離れた任意の場所、或いは頭部、側面が壁、または窓（出窓）に置かれたベッドの四隅に伸縮性のある突っ張り柱を立てキャノピーベッドとする。部屋のコーナーでは三本の突っ張り柱を立てキャノピーベッドとする。いずれの場合にも音響装置、映像装置を設置することによって眠りをより豊かなものにすることができる。
【産業上の利用可能性】  これまでの伸縮性のある突っ張り棒を突っ張り柱として利用でき、またカーテンやのれん、或いはスクリーン活用範囲が広がる。音響装置、映像装置を新しい眠りのエリア創造に活用できる。
【図面の簡単な説明】
【図１】骨組み（出窓に設置）を示した立体図である。
【図２】使用時（コーナーに設置）を示した立体図である。
【符号の説明】
▲１▼  天井
▲２▼  床
▲３▼  壁
▲４▼  出窓
▲５▼  突っ張り柱
▲６▼  ベッド
▲７▼  カーテンレール（桟）
▲８▼  内カーテン
▲９▼  外カーテン
【図１】
0003115203.tif 000003
【図２】
0003115203.tif 000004
【図１】
0003115203.tif 000005
【図２】
0003115203.tif 000006
【図３】
0003115203.tif 000007
【手続補正書】
【提出日】平成17年4月19日(2005.4.19)
【手続補正１】
【補正対象書類名】実用新案登録請求の範囲
【補正対象項目名】全文
【補正方法】変更
【補正の内容】
【実用新案登録請求の範囲】
【請求項１】
天井の低い日本家屋に置かれたベッドの三隅、あるいは四隅の床と天井に伸縮性のある突っ張り柱を立て、柱の上部を梁で固定して、カーテンやのれん或いはスクリーンで装飾をした突っ張り柱キャノピーベッド。
【手続補正２】
【補正対象書類名】明細書
【補正対象項目名】全文
【補正方法】変更
【補正の内容】
【考案の詳細な説明】
【技術分野】
【考案が解決をしようとする課題】
【０００１】天井が低い日本家屋では、欧米で常用されている天蓋つきのベッドを使用する慣習が生まれにくい。
【課題を解決するための手段】
【０００２】ベッドの置かれた四隅の床と天井の間に伸縮性のある突っ張り柱を立て、天井を天蓋にみたててキャノピーベッドとする。
【考案の効果】
【０００３】日本家屋にこれまで導入できなかったキャノピーベッドを実現でき、新しい眠りのエリアを創造できる。
【０００４】また、日本にキャノピーベッドの文化を気軽に導入できる。
【考案を実施するための最良の形態】
【０００５】ベッドの四隅の床と天井の間に伸縮性のある突っ張り柱をしっかり固定する。【０００６】カーテンレールを桟として固定して、カーテンやのれん、或いはスクリーンで装飾をする。【０００７】部屋の角では三本の突っ張り柱を立てキャノピーベッドとする。【０００８】下方に手すり様の桟を固定することで、美的、強度的な効果を出すことができる。
【実施例】
【０００９】部屋の壁から離れた任意の場所、或いは頭部、側面が壁、または窓、出窓に置かれたベッドの四隅に伸縮性のある突っ張り柱を立てキャノピーベッドとする。【００１０】部屋の角では三本の突っ張り柱を立てキャノピーベッドとする。【００１１】いずれの場合にも音響装置、映像装置を設置することによって眠りをより豊かなものにすることができる。
【産業上の利用可能性】
【００１２】これまでの伸縮性のある突っ張り棒を突っ張り柱として利用でき、またカーテンやのれん、或いはスクリーン活用範囲が広がる。【００１３】音響装置、映像装置を新しい眠りのエリア創造に活用できる。
【図面の簡単な説明】
【００１４】
【図１】部屋の出窓に設置した骨組みを示す立体図である。
【図２】部屋の角に設置した使用時を示す立体図である。
【図３】部屋の側面の壁に設置した使用時を示す立体図である。
【符号の説明】
【００１５】１  天井
２  床
３  壁
４  出窓
５  突っ張り柱
６  ベッド
７  桟
８  内カーテン
９  外カーテン
【手続補正３】
【補正対象書類名】図面
【補正対象項目名】全図
【補正方法】変更
【補正の内容】
【図１】
0003115203.tif 000008
【図２】
0003115203.tif 000009
【図３】
0003115203.tif 000010
(57)【要約】      （修正有）【課題】回数券を種類別に収納し、賢く便利に使用出来る回数券入れを提供する。【解決手段】複数のポケットを構成することによって回数券が分類でき、また部分的にカットを施すことによって取り出しが容易なことを特徴とする。１は、回数券の出し入れ口、２は、中身が見えるようにカットされた窓、３は、回数券の押し出し口、４は、背表紙及び切り取りミシン目、５は、各ポケットの境界線の接着及び切り取りミシン目、６は、折り山及び各ポケットの底である。【選択図】図１
0003115209.tif 000002
【実用新案登録請求の範囲】
【請求項１】
複数のポケットを有する回数券入れであり、種類別の収納が可能なことを特徴とする。
【考案の詳細な説明】
【技術分野】
【０００１】  この考案は、多種類となる鉄道回数券を複数のポケットにより分類して収納できる回数券入れに関するものである。
【背景技術】
【０００２】  従来、回数券入れは鉄道各社などが用意するもので一つにまとめて収納する形式であった。
【考案の開示】
【考案が解決しようとする課題】
【０００３】  回数券には様々な割引制度があり（表１参照）、定期券を利用するほどではないがパートやアルバイトなどの仕事、習い事や買い物などである程度定期的に電車を利用する人にとっては、回数券を使い分けることによって大幅な交通費の節約が可能となるため（表２参照）、多種類となる回数券を分類して収納できる回数券入れが必要である。
【課題を解決するための手段】
【０００４】  回数券を分類するため複数のポケットを形成し、各ポケットには回数券の中身がわかるよう中心を適宜形状にカットし窓を形成する。さらに取り出しやすくするため袋状になった端の一部をカットし押し出せるようにする。
【考案の効果】
【０００５】  上記のような構成をとることによって、種類ごとに回数券を収納することが可能となり、中身も見やすく容易に取り出せるようになる。
また、用途に応じて回数券を使い分けることにより、交通費の大幅な節約が可能となる。
【考案を実施するための最良の形態】
【０００６】  以下、本考案の実施例について説明する。
１．回数券を分類できるよう複数のポケットを作り〔図１〜図５〕、各ポケットの中心を適宜形状にカットし（２）、中身が見えるようにする。
２．左右の両端を中心にむかって折り込む〔図４〕。この時，取り出しを良くするために出し入れ口（１）から回数券がはみ出す長さに折る。
３．袋状になった端（６）は、回数券を押し出せるよう適宜形状にカットする（３）。
４．このような回数券入れを中心（４）で縦に折り畳むことによって〔図２〕コンパクトになり、さらに出し入れ口（１）が内側に入ることで回数券の抜け落ちを防止する。
５．また、ミシン目でポケットを切り離せる構成である。〔図５〕
６．本考案は、紙と接着剤のみでも十分作成可能であるので、工作はきわめて簡単であり安価に提供することができる。また、再生紙の使用等により環境に配慮した製品にもなる。
７．その他、回数券入れの応用例は、以下のとおりである。
・表紙をつけ、ブック状に構成された分類できる回数券入れ〔図６〜図１０〕
・定期入れ又はカード入れと一体型の分類できる回数券入れ〔図１１〜１３〕
・財布や手帳等に挿入して使用する分類可能な回数券入れ〔図１４〜１６〕
【産業上の利用可能性】
【０００７】  この考案による回数券入れの裏面を宣伝や広告等に使用し、駅等公の場に常備することで広範囲な広告媒体として利用可能である。
また、回数券で積極的に電車を利用することによって車などの車両の利用が減少し温暖化防止対策としても利用可能である。
【図面の簡単な説明】
【０００８】
【図１】本考案の実施形態に係わる正面図である。
【図２】図１を閉じたときの背面図である。
【図３】図１の展開図である。
【図４】図１の作成過程の図である。
【図５】図１を切り取った一例である。
【図６】本考案の応用例として、表紙付き回数券入れの開いた時の正面図である。
【図７】図６の閉じたときの正面図である。
【図８】図６の内側にある袋の正面図である。
【図９】図６の表紙の正面図である。
【図１０】図６の開いた状態の斜視図である。
【図１１】本考案の応用例として、定期入れ又はカード入れ併用の正面図である。
【図１２】図１１の口の開いた状態の背面斜視図である。
【図１３】図１１の口の開いた状態の上面図である。
【図１４】本考案の応用例として，挿入可能な回数券入れの正面図である。
【図１５】図１４の作成課程の図である。
【図１６】図１４の財布への挿入時の図である。
【符号の説明】
【０００９】        １回数券の出し入れ口
２中身が見えるようにカットされた窓
３回数券の押し出し口
４背表紙及び切り取りミシン目
５各ポケットの境界線の接着及び切り取りミシン目
６折り山及び各ポケットの底
【表１】
0003115209.tif 000003
【表２】
0003115209.tif 000004
【図１】
0003115209.tif 000005
【図２】
0003115209.tif 000006
【図３】
0003115209.tif 000007
【図４】
0003115209.tif 000008
【図５】
0003115209.tif 000009
【図６】
0003115209.tif 000010
【図７】
0003115209.tif 000011
【図８】
0003115209.tif 000012
【図９】
0003115209.tif 000013
【図１０】
0003115209.tif 000014
【図１１】
0003115209.tif 000015
【図１２】
0003115209.tif 000016
【図１３】
0003115209.tif 000017
【図１４】
0003115209.tif 000018
【図１５】
0003115209.tif 000019
【図１６】
0003115209.tif 000020
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
種類別の収納が可能な、複数のポケットを有する回数券入れ。
【手続補正２】
【補正対象書類名】明細書
【補正対象項目名】０００９
【補正方法】変更
【補正の内容】
【０００９】１回数券の出し入れ口
２中身が見えるようにカットされた窓
３回数券の押し出し口
４背表紙及び切り取りミシン目
５各ポケットの境界線の接着及び切り取りミシン目
６折り山及び各ポケットの底
(57)【要約】      （修正有）【課題】枕本体に収納部設け、使い捨てカイロを収納部納めて使用し睡眠時に、体の首から肩に架けて体を温める為に使用する枕の提供。【解決手段】枕本体１に使い捨てカイロ収納部２を設け、使い捨てカイロ収納部に納めファスナー又はマジックテイプ３で、閉じて使用し首から肩に架けて温めるのに役立つ。【選択図】図１
0003115463.tif 000002
【実用新案登録請求の範囲】
【請求項１】
枕、本体に、使い捨てカイロ収納部を設け、収納部内部に使い捨てカイロを収めてファスナーで閉じ、温ったかぬくぬく枕になります。又、アンカ変わりにも使用可能。
【考案の詳細な説明】
【技術分野】
【０００１】  本考案は、枕に収納部を設け、使い捨てカイロを使用した、枕に関するものである。
【背景技術】
【０００２】  冬場の寒冷地に置いて、首から肩に架けて、非常に寒いので睡眠が取れない。
【考案開示】
【考案が解決しようとする課題】
【０００３】  冬場の寒冷地に置いて、首から肩に架けて非常に寒く風邪を引く事が懸念されるが、枕に収納部を設け、使い捨てカイロを収納部に収めて、使用する事で素早く熟睡し快眠が得られ、経済的・安全・安心、従って、前述の欠点を解決しようとするものである。
【課題を解決するための手段】
【０００４】  本考案は、冬場の寒冷地に置いて首から肩に架けて暖め、使い捨てカイロを使用する事で、経済的で手軽に素早くで温まり、熟睡し快眠が得られ風邪を引く事などを防止し問題点を解決している。
【考案の効果】
【０００５】  上述の様に、本考案の枕に収納部設けて使い捨てカイロを収納部に納める事で、首から肩に架けて手軽で素早く経済的に温まり、安全で安心して熟睡し快眠が得られ風邪を引く事などを防止し、夏場に置いては、通常枕として使用でき、一年中使用でき経済性に優れた枕です。
【考案の実施するための最良の形態】
【０００６】  枕、本体の首と肩に当たる場所に、収納部を設けて使い捨てカイロを、納めてファスナー又は、マジックテープで閉じて、枕カバーを架けるて使用し、首から肩を温める事が出来、風邪引き防止に使用できる。
【実施例】
【０００７】  以下、添付図面に従って一実施例を説明する。１は耐久性の有る布等で適宣素材にて一体化形成された枕本体、２は耐久耐熱性の有る布等で適宣素材にて、使い捨てカイロ収納部を設け、枕本体中央部に使い捨てカイロを収納部に納める。３は耐久耐熱性の有るフスナー又は、マジックテープで開閉自在になり、使い捨てカイロを収納するのに、す早く簡単収納が可能となる。【０００８】  本考案の一実施例は上述の如き構成からなるものであるから、枕カバーを掛けて使用でき、他の、春夏秋は、通常枕として使用する事が出来る。
【図面の簡単な説明】
【０００９】
【図１】本考案の温かぬくぬく枕の一実施例を示す上部正面図である。
【図２】本枕の横切欠断面図である。
【図３】本枕の横正面図である。
【符号の説明】
【００１０】１  枕本体
２  使い捨てカイロ収納部
３  ファスナー又は、マジックテープ
【図１】
0003115463.tif 000003
【図２】
0003115463.tif 000004
【図３】
0003115463.tif 000005
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
「使い捨てカイロを収納するための収納部と、前記収納部を閉じるファスナーを有することを特徴とする枕。」
【手続補正２】
【補正対象書類名】明細書
【補正対象項目名】全文
【補正方法】変更
【補正の内容】
【考案の詳細な説明】
【技術分野】
【０００１】  本考案は、枕に収納部を設け、使い捨てカイロを収納部に収納して使用する枕に関するものである。
【背景技術】
【０００２】  冬場の寒冷地に置いて、首から肩に架けて、非常に寒いので睡眠が取れない、又、温めることで肩こりなどにも効果的である。
【考案の開示】
【考案が解決しょうとする課題】
【０００３】  冬場の寒冷地に置いて、首から肩に掛けて非常に寒く風邪を引く事が懸念されるが枕に収納部を設け使い捨てカイロを収納部に収めて使用する事で素早く熟睡し快眠が得られる、又、温めることで肩こりなどにも効果的である、経済的・安全・安心、従って、前述の欠点を解決しようとするものである。
【課題を解決するための手段】
【０００４】  本考案は、冬場の寒冷地に置いて首から肩に架けて暖め使い捨てカイロを使用する事で、経済的で手軽に素早く温まり、肩こりなどにも効果的である従って熟睡し快眠が得られ風邪を引く事などを防止し問題点を解決している。
【考案の効果】
【０００５】  上述の様に、本考案の枕に収納部を設けて使い捨てカイロを、収納部に収める事で、首から肩に架けて手軽で素早く経済的に温まり、安全で安心して熟睡し快眠が得られ風邪を引く事や肩こりに効果的に働き夏場に置いては、通常枕として使用でき、一年中使用でき経済性に優れた枕である。
【考案の実施するための最良の形態】
【０００６】  枕、本体の首と肩に当たる場所に、収納部を設けて使い捨てカイロを、収めてファスナー又は、「マジックテープ（登録商標）」で閉じて、枕カバーを架けて使用し、首から肩を温める事が出来、風邪引き防止に使用でき、又、血行を良くし肩こりなどにも効果的に働く事ができる。
【実施例】
【０００７】  以下、添付図面に従って一実施例を説明する。
１  は耐久性の有る布等で適正素材にて一体化形成された枕本体である。
２  は耐久耐熱性の有る布等で適正素材にて、使い捨てカイロ収納部を設け、枕本体中央部に使い捨てカイロを収納部に収める。
３  は耐久耐熱性の有るファスナー又は、「マジックテープ（登録商標）」で開閉自在になり、使い捨てカイロを収納するのに、す早く簡単収納が可能となる。【０００８】  本考案の一実施例は上述の如き講成からなるものであるから、枕カバーを掛けて使用でき、他の、春夏秋は、通常枕として使用する事が出来る、又、アンカ変わりにも使用する事もできる。
【図面の簡単な説明】
【０００９】
【図１】本考案の温かぬくぬく枕の一実施例を示す上部正面図である。
【図２】本枕の横切欠断面図である。
【図３】本枕の横正面図である。
【符号の説明】
【００１０】１    枕本体
２    使い捨てカイロ収納部
３    ファスナー又は、「マジックテープ（登録商標）」
(57)【要約】【課題】水洗いを必要とした料理をする場合、シンクの中で作業する為、シンクが狭い、シンクが深いので、作業がやりずらかった。【解決の手段】まな板に流水溝、排水溝、水止め板を作り、外部に水が流れ出さないようにした。まな板の裏側に、滑り止めを設け、横ズレしない、安定した、まな板の上で、作業が出きるまな板を、提供する。【選択図】  図１
0003115468.tif 000002
【実用新案登録請求の範囲】
【請求項１】
シンクの上に、まな板を乗せ、料理をしながらまな板の上で、水洗いをしても、外部に水が流れ出さないまな板です。
【請求項２】
まな板に、流水溝、排水溝、水止め板、裏側には、滑り止めを設けたまな板です。
【考案の詳細な説明】
【技術分野】
【０００１】本考案はシンクの上にまな板を置き、まな板に、流水溝、排水溝、水止め板を設けて、外に水が流れ出さないようにした、まな板。
【背景技術】
【０００２】まな板の材質に、衛生面を考慮した物、まな板に傾斜を付けて水吐けを考えた、まな板などがあるが、シンクの中で、調理をする為、狭くて大きな素材などの、調理が、やりずらかった。
【考案の開示】
【考案が解決しようとする課題】
【０００３】シンクの中に直接まないたを置いて、水洗い調理をする為、シンクが深く姿勢も悪く成り、包丁裁きも、悪かった。
【課題を解決するための手段】
【０００４】シンクの上に、まな板を乗せ、料理をしながらまな板の上で、水洗いをしても、外に水が、流れ出さない、まな板。
【考案の効果】
【０００５】シンクの上に、まな板を乗せると、高さが調理台と同じ位に成り、姿勢も良く調理が、楽に出来ます。
【考案を実施するための最良の形態】
【０００６】この考案はシンク上に、まな板を乗せるだけで、簡単に取り付けが出来、身体に、負担をかけない様にした、まな板。
【実施例】
【０００７】まな板も、広く使え、まな板の裏には、滑り止めが付いてますので、横ズレがしなく、安定します。流水溝、排水溝、水止め板を設け、水はけを、考慮していますので、壁側、調理台、人が立つ自分側には、洗い水は流れ出ません。【０００８】材質は、木製、合成板などで作成。【０００９】シンクには、種類が色々有り、横巾が狭い場合は、図１の様に成りますが、シンクの横巾が、長い場合いは、このまな板を、サイズに合わせて製作し、縦にして、使います。
【図面の簡単な説明】
【００１０】
【図１】  斜視図
【図２】  正面図
【符号の説明】
【００１１】  １        まな板
２        流水溝
３        排水溝
４        水止板
５        滑り止め
６        シンク
７        調理台
【図１】
0003115468.tif 000003
【図２】
0003115468.tif 000004
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
表面の両端に隣接した箇所に、それぞれ配置された２，流水溝と、前記流水溝にそれぞれ設けられた複数の３，排水溝と、表面の前記両端にそれぞれ配置された４，水止板を備えていることを特徴とするシンク専用まないた。
【請求項２】
裏面に前記両端にそれぞれ配置された５，滑り止め部を更に備えていることを特徴とする請求項１，に記載のシンク専用まないた。
(57)【要約】【課題】本考案は健康器具に救急器具の機能もかねそなえ救急器具を身近に感じることのできる有用な器具である。【解決手段】本考案はのびちぢみ可能な円管１に回転可能な太い円管２をとりつけ、ひも等４で連結された、のばした状態での心臓マッサージや端の円すい台状の部分３で人工呼吸等もできる救急機能をかねそなえた健康器具である。【選択図】図１
0003115469.tif 000002
【実用新案登録請求の範囲】
【請求項１】
のびちぢみ可能の長い円管の間へ回転可能の太い円管をとりつけて、ひも等で連結させた、救急機能を備えた健康器具である。
【考案の詳細な説明】
【技術分野】
【０００１】本考案は、救急器具及び健康器具に関するものである。
【背景技術】
【０００２】救急器具は、救急時のみを想定して作られている為、あまり身近な物ではなく、健康器具もある部分に特化して作られておりあまり関連性はなかった。
【考案の開示】
【考案が解決しようとする課題】
【０００３】救急器具は、ほとんど使うことがない上、価格も高く身近でない為にほとんど使いものにならず、普段使用する健康器具と機能を共有することにより、身近に感じるものとなり前述の欠点を解決しようとするものである。
【課題を解決するための手段】
【０００４】本考案は２本の長い円管を基本形としそれらはそれぞれ、ちょうど折りたたみ傘の柄の様にのびちぢみする構造をとっており、その端から端までは、空気が通る。さらにそのえん管の両端には円すい台状の円管、又はその変形したものがとりつけられている。２本の長い円管の間には別のふとい円管がとりつけられており、それらはとりはずし可能で、かつ回転可能な物としてとりつけられている。ふとい円管部分は普通時にはマッサージやストレッチポールとして、救急時には心臓マッサージとして機能する。長い円管と円すい台状の円管は救急時に人工呼吸器として機能する。よって普通は健康器具として使用し救急時には救急機能を有するものとなる。
【考案の効果】
【０００５】上述の様に、本考案は普通時は健康器具として使える為救急機能を備えながら身近な道具となり得る。
【考案を実施するための最良の形態】
【０００６】２本の長い円管がありそれらはちょうど折りたたみ傘の柄の様にのびちぢみをする。そしてその両端には円すい台状の管がとりつけられており、人工呼吸時に口をおおうのに役立つ。又長い円管の間には、太い円管がとりつけられており、それらは回転可能であり、普通時には、マッサージに、救急時には心臓マッサージとして機能する。２本の長い円管は、ひもやゴムなどで連結されている。
【実施例】
【０００７】以下添付図面に従って実施例を説明する。１は２本の長い円管であり、折りたたみ傘の柄のようにのびちぢみするものである。
３は円すい台またはその変形の管であり、人工呼吸時には５の穴から空気を送りこむ。２は太い円管であり矢印は回転可能であるということを意味している。６は切れ目等であり太い円管がとりはずし可能であることを意味している。４は連結部分を指し２本の長い円管をつないでいる。【０００８】７は長い円管をのばした状態の時で図２の様な形で何がしき物８をおき、心臓マッサージを行う。
９は人の断面図である、のばした状態にすることによりてこの原理が働き小さな力ですむという利点がある。
普通は図２の様にのばした状態で肩や足のマッサージを行う。又のばした状態で衣服を通して簡易な担架ともなる。【０００９】１０は人工呼吸時に一方の円管で気道を確保してもう一方のもので空気を送る。矢印は空気の流れである。
円管を通しての人工呼吸なので送り手の感染症の危険が小さい。さらに円管内に弁をとりつけてもよい。
【図面の簡単な説明】
【００１０】
【図１】本考案の斜視図である
【図２】本考案の心臓マッサージ時の図である
【図３】本考案の人工呼吸時の図である
【符号の説明】
【００１１】１  のびちぢみ可能の長い円管
２  回転可能の太い円管
３  円すい台状の円管
４  連結部
５  穴
６  切れ目
７  のばした時の長い円管
８  しき物
９  人の断面図
１０  ２ブのうちの１ブの円管
【図１】
0003115469.tif 000003
【図２】
0003115469.tif 000004
【図３】
0003115469.tif 000005
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
のびちぢみ可能な２本の円管に回転可能な太い円管をとりつけ、はしを連結する連結部を有する救急機能を備えた健康器具